(57)【要約】無線ＬＡＮユーザの在席情報のやりとりを実現する方法、システムおよび端末である。この方法は、１つ以上の在席情報モニタ装置を設定することと、無線ＬＡＮユーザの在席情報を検出し、この在席情報を在席情報トランザクションシステムエンティティに送信することとを含む。このシステムは、在席情報モニタ装置と、無線ＬＡＮネットワークエンティティと、在席情報トランザクションシステムエンティティとを含み、在席情報モニタ装置の入力は無線ＬＡＮネットワークエンティティに接続され、在席情報モニタ装置の出力は在席情報トランザクションシステムエンティティに接続される。端末は在席情報モニタ装置を含み、在席情報モニタ装置は無線ＬＡＮに接続され且つ在席情報トランザクションシステムエンティティにも接続される。
2006505977.tif 000002
【特許請求の範囲】
【請求項１】
ＷＬＡＮ（無線ローカルネットワーク）加入者の在席情報のやりとりを行う方法であって、
１つ以上の在席情報モニタ装置を設定することと、
前記在席情報モニタ装置によって、前記ＷＬＡＮ加入者の在席情報を検出することと、
前記在席情報を在席情報サービスシステムに送信することと、
を含む方法。
【請求項２】
Ａ)前記在席情報をリアルタイムに検出することと、
Ｂ) 前記検出された在席情報が変更された後、前記在席情報モニタ装置によって、現在の在席情報を送信することと、
を含む請求項１に記載の方法。
【請求項３】
Ａ) ウォッチャーから要求を受け取った後に、前記在席情報サービスシステムが前記在席情報モニタ装置に在席情報の取得を開始させることと、
Ｂ) 前記在席情報を取得した後、前記在席情報モニタ装置が前記在席情報を送信することと、
を含む請求項１に記載の方法。
【請求項４】
前記在席情報モニタ装置がＷＬＡＮネットワーク側に設定される、請求項１、２または３に記載の方法。
【請求項５】
前記在席情報モニタ装置が端末内に設定される、請求項１、２または３に記載の方法。
【請求項６】
ＷＬＡＮにアクセスした後に、前記ＷＬＡＮ加入者が前記在席情報サービスシステムへの接続を確立することと、
前記在席情報を前記ＷＬＡＮを介して前記在席情報サービスシステムに送信すること、
前記在席情報サービスシステムが、前記確立された接続が存在するか否かを一定間隔で確認することと、
を更に含む請求項５に記載の方法。
【請求項７】
ＷＬＡＮにアクセスした後に、前記ＷＬＡＮ加入者が前記在席情報サービスシステムへの接続を確立することと、
前記在席情報サービスシステムが、前記確立された接続を介して、前記在席情報に対する問合わせ要求を前記ＷＬＡＮ加入者に送ると共に、前記ＷＬＡＮ加入者がこの要求の確認情報を返すことと、
前記在席情報が、前記ＷＬＡＮを介して前記在席情報サービスシステムに送信されることと、
を更に含む請求項５に記載の方法。
【請求項８】
前記在席情報サービスシステムが前記在席情報を受信し、前記在席情報サービスシステム内の在席情報データを更新し、前記在席情報モニタ装置に確認を返すことを更に含む、請求項１に記載の方法。
【請求項９】
前記在席情報が、オンライン位置若しくは時間情報、オフライン位置若しくは時間情報、ＷＬＡＮと交信しているネットワークへの接続／切断情報、現在のアクセス位置情報、現在のアクセス時間情報、現在のログアウト位置情報、アクセス認証範囲情報及びアクセスサービス許可情報、現在のログアウト時間情報、または上記情報の組合せ若しくは情報の変更を含む、請求項１に記載の方法。
【請求項１０】
ＷＬＡＮ加入者の在席情報のやりとりを行うためのシステムであって、
前記在席情報をモニタする能力を有する在席情報モニタ装置と、ＷＬＡＮネットワークエンティティと、在席情報サービスシステムとを含み、
前記在席情報モニタ装置の入力が、前記在席情報をモニタするために前記ＷＬＡＮネットワークエンティティと接続され、前記在席情報モニタ装置の出力が、前記在席情報を送信するために前記在席情報サービスシステムと接続される、
システム。
【請求項１１】
前記ＷＬＡＮネットワークエンティティがＷＬＡＮアクセス装置を含む、請求項１０に記載のシステム。
【請求項１２】
前記在席情報モニタ装置が、前記在席情報を収集する在席情報収集モジュールと、前記在席情報を送信する在席情報送信モジュールとを含み、
前記在席情報収集モジュールの入力が前記ＷＬＡＮアクセス装置と接続されて該ＷＬＡＮアクセス装置を介して前記在席情報が収集され、前記在席情報収集モジュールの出力が前記在席情報送信モジュールの入力と接続され、
前記在席情報送信モジュールの出力が、前記在席情報サービスシステムに前記在席情報を送信するために前記在席情報サービスシステムと接続される、
請求項１１に記載のシステム。
【請求項１３】
前記在席情報収集モジュールが、少なくとも、
オンライン／オフラインの位置情報若しくは時間情報、オンライン／オフライン状態情報、または上記情報の組合せを収集するオンライン／オフライン情報収集モジュールと、
アクセス位置情報および／またはアクセス時間情報を収集するアクセス情報収集モジュールと、
ＷＬＡＮと交信しているネットワークへの接続または切断情報を収集する接続情報収集モジュールと、
を含み、
前記オンライン／オフライン情報収集モジュールと、前記アクセス情報収集モジュールと、前記接続情報収集モジュールとは、前記在席情報送信モジュールと共に、ＷＬＡＮネットワークエンティティ内の機能モジュールであるか、または、ＷＬＡＮネットワークエンティティ内および／またはターミナル内にそれぞれ存在する上記の複数の機能モジュールの任意の組合せである、
請求項１２に記載のシステム。
【請求項１４】
前記在席情報モニタ装置が前記ＷＬＡＮアクセス装置内にある、請求項１１に記載のシステム。
【請求項１５】
前記ＷＬＡＮネットワークエンティティがＡＡＡサーバを更に含む、請求項１１に記載のシステム。
【請求項１６】
前記在席情報モニタ装置が前記ＡＡＡサーバ内にあり、前記ＡＡＡサーバが、前記ＷＬＡＮアクセス装置および前記在席情報サービスシステムに接続される、請求項１５に記載のシステム。
【請求項１７】
前記ＡＡＡサーバが、前記ＷＬＡＮアクセス装置と前記在席情報モニタ装置との間に接続される、請求項１５に記載のシステム。
【請求項１８】
ＷＬＡＮ加入者の在席情報のやりとりを行うための端末であって、
ＷＬＡＮを介して在席情報サービスシステムに接続され、在席情報をモニタして前記ＷＬＡＮ側に送信する在席情報モニタ装置
を更に含む端末。
【請求項１９】
前記在席情報モニタ装置が、少なくとも、前記在席情報を収集する在席情報収集モジュールと、前記在席情報を送信する在席情報送信モジュールとを含み、
前記在席情報収集モジュールの入力が、ＷＬＡＮアクセス装置と交信することによって前記在席情報を取得するために前記ＷＬＡＮアクセス装置に接続され、前記在席情報収集モジュールの出力が、前記在席情報送信モジュールの入力に接続され、
前記在席情報送信モジュールの出力が、前記ＷＬＡＮアクセス装置と接続され、前記ＷＬＡＮアクセス装置を介して前記在席情報サービスシステムに前記在席情報を送信する、
請求項１８に記載の端末。
【請求項２０】
前記在席情報収集モジュールが、少なくとも、
オンライン位置情報および／または時間情報および／またはオンライン状態情報並びにオフラインを示す情報を収集するオンライン／オフライン情報収集モジュールと、
アクセス位置情報および／またはアクセス時間情報を収集するアクセス情報収集モジュールと、
ＷＬＡＮと交信しているネットワークへの接続または切断情報を収集する接続情報収集モジュールと、
を含む、
請求項１９に記載の端末。
【発明の詳細な説明】
【技術分野】
【０００１】
本発明は、一般に、無線ローカルエリアネットワーク（ＷＬＡＮ）に関し、特に、ＷＬＡＮ加入者の在席情報（presence information）のやりとりを行うための方法、システムおよび端末に関する。
【背景技術】
【０００２】
移動通信網またはインターネットにおいては、在席情報サービス（PRESENCE service）の加入者の在席情報はネットワークによって管理される。この在席情報は、加入者の連絡方法と、現在の状態と、加入者の端末情報と、サービス及びサービス要素情報等とを含む。加入者、加入者の端末、サービスおよびサービス要素情報を、ひとまとめにして在席エンティティと呼ぶ。在席情報サービスは、複数の異なるウォッチャーに対して、予め定義された規則に従って上記情報を提供し、ウォッチャーは、在席エンティティの情報を能動的に要求できるか、または、情報が変更されたらすぐに通知されるよう、予め定義できる。
【０００３】
例えば、加入者が自分のオフィスに到着したら、加入者は、携帯電話を遮断し、オフィスの電話機を使用可能にし、電子メールを使用可能にするように、在席情報を設定できる。ウォッチャーがこの加入者と連絡をとる必要が生じたら、ウォッチャーはオフィスに電話をするか、または電子メールを送ることができる。
【０００４】
在席エンティティ情報は端末を介して手動で設定できるか、または、ネットワークが在席エンティティ情報を提供し、端末は単にこの情報の規則および範囲を設定する。例えば、ウォッチャーが加入者と話す必要がある場合、ウォッチャーはこの加入者の状態情報を予め定義して、この加入者の状態情報がオンになったら通知を受け取ることができる。例えば、加入者の携帯電話が遮断状態から電源が入った状態に変化したときに、在席情報システムは、この加入者の設定規則が、この加入者の情報がウォッチャー１には提供されてよいがウォッチャー２には提供されないように設定されていることを見出す。次に、在席情報システムは、ウォッチャー２に対しては元の情報を維持しつつ、ウォッチャー１に対しては情報を更新する。
【０００５】
移動通信網を補うものとして、無線ローカルエリアネットワーク（ＷＬＡＮ）は、多種多様な異なる技術を含む。周波数チャネルに関して分けると、２．４ＧＨｚの周波数チャネルを採用している通信技術には、ＩＥＥＥ８０２．１１ｂ標準およびブルートゥース技術が含まれる。５ＧＨｚの周波数チャネルを採用している通信技術には、ＩＥＥＥ８０２．１１ａ標準およびＥＴＳＩ ＢＲＡＮ Ｈｉｐｅｒｌａｎ２標準が含まれる。
【０００６】
大部分のＷＬＡＮは、ＩＰ（インターネットプロトコル）パケットを送信するために用いられる。図１を参照すると、図１はＷＬＡＮの接続の概略図である。無線ＩＰネットワークに関して、その基本構成は、アクセスポイント（ＡＰ）装置、アクセス制御（ＡＣ）装置、およびネットワーク制御および複数の接続装置を結合して構成されるＩＰ伝送網を利用することによって、端末の無線アクセスを遂行するためのものである。通常、ＷＬＡＮは、上の階層のＩＰに対して透過的である。
【０００７】
ＷＬＡＮは、他の多くのネットワーク（例えばインターネット、第３世代移動通信（３ＧＰＰ）ネットワークまたは他の特殊なネットワーク）と接続して交信することができる。端末は、それらの一つ以上の種類の接続を用いることができる。
【０００８】
移動通信網またはインターネット内の端末に関しては、ウォッチャーは在席情報サービスシステムを介して在席情報を得ることができる。その一方で、ＷＬＡＮの端末に関しては、現在のところ、ＷＬＡＮ内の端末の在席情報および変化情報を、在席情報サービスシステムに自動的且つリアルタイムに提供するための実施方法がない。端末がＷＬＡＮにアクセスする際に、端末はまず自ら在席情報サービスシステムに訪れてログインし、去る前に再び在席情報サービスシステムに訪れてログアウトするだけである。従って、ウォッチャーは在席情報を得ることができず、その間不便をもたらし、在席エンティティの情報の遅滞ない更新は不可能になる。在席エンティティの情報を手動で更新することはリアルタイム性を備えておらず、実現困難である。
【発明の開示】
【発明が解決しようとする課題】
【０００９】
本発明の目的の１つは、ウォッチャーがＷＬＡＮ端末の情報を取得できるように、加入者の在席情報を在席情報サービスシステムに通知するための、ＷＬＡＮ加入者の在席情報のやりとりを行うための方法およびシステムの提供である。本発明の別の目的は、加入者の在席情報を在席情報サービスシステムに通知するために、ＷＬＡＮの在席情報をやりとりするための端末の提供である。
【課題を解決するための手段】
【００１０】
ＷＬＡＮ（無線ローカルネットワーク）加入者の在席情報のやりとりを行う方法は、
１つ以上の在席情報モニタ装置を設定することと、
前記在席情報モニタ装置によって、前記ＷＬＡＮ加入者の在席情報を検出することと、
前記在席情報を在席情報サービスシステムに送信することと、
を含む。
【００１１】
ＷＬＡＮ加入者の在席情報のやりとりを行うシステムは、
在席情報をモニタする能力を有する在席情報モニタ装置と、ＷＬＡＮネットワークエンティティと、在席情報サービスシステムとを含み、
前記在席情報モニタ装置の入力が、前記在席情報をモニタするために前記ＷＬＡＮネットワークエンティティと接続され、前記在席情報モニタ装置の出力が、前記在席情報を送信するために前記在席情報サービスシステムと接続される。
【００１２】
ＷＬＡＮ加入者の在席情報のやりとりを行うための端末は、
ＷＬＡＮを介して在席情報サービスシステムに接続され、在席情報をモニタして前記ＷＬＡＮ側に送信する在席情報モニタ装置
を更に含む。
【００１３】
本発明においては、１つ以上の在席情報モニタ装置を設定するステップと、ＷＬＡＮクライアントの在席情報を検出するステップと、在席情報サービスシステムに在席情報を送信するステップとにより、ＷＬＡＮと既存の在席情報サービスシステムとの間の相互通信を行う。在席情報サービスシステムを介してウォッチャーに在席情報のリアルタイムの変更状況を提供するのみでなく、ウォッチャーによって開始される問合わせ要求によって現在の在席情報の取得を開始し、それに従って、在席情報のやりとりが行われる。このことにより、ＷＬＡＮ端末に対する、より便利で多様なサービスが提供される。
【００１４】
本発明において、ＷＬＡＮは、ＷＬＡＮアクセス装置と、在席情報及びその変更状況を検出する能力を備えた在席情報モニタ装置とによって構成される。従って、ＷＬＡＮには在席情報をモニタする能力があり、このＷＬＡＮシステムを介して、在席情報およびその変更状況を在席情報サービスシステムに報告できる。これにより、ＷＬＡＮのサービスおよび機能がより好ましく生産性の高いものになる。
【発明を実施するための最良の形態】
【００１５】
次に、添付の図面を参照し、本発明を詳細に説明する。
【００１６】
端末がＷＬＡＮにアクセスする、または、在席情報が変更された際に、在席情報モニタ装置は、在席情報およびその状態の変化を取得し、この情報を、端末が取り付けられた、または、現在のＷＬＡＮが接続された在席情報サービスシステムに報告する。
【００１７】
図２を参照すると、図２は、ＷＬＡＮ加入者の在席情報のやりとりを行うための論理構造の概略図である。このシステムは、ＷＬＡＮアクセス装置と、在席情報モニタ装置とを含み、これらは、加入者の在席情報をモニタする能力を有するローカルネットワークを構築するために用いられる。
【００１８】
このシステムにおいて、ＷＬＡＮアクセス装置は、ＷＬＡＮ端末がＩＰプロトコルを介して他のネットワークと通信できるように、端末のアクセスおよびルーティングを管理するために用いられる。このアクセス装置は、アクセスポイント装置、アクセス制御装置を備えているのが一般的であり、ネットワーク接続のためのルーターおよびネットワーク制御のための関連サーバを含むことも可能である。
【００１９】
このＷＬＡＮアクセス装置は、例えばすでに広く適用されている現在の業界標準であるＩＥＥＥ８０２．１１ｂや、ブルートゥース、ＩＥＥＥ８０２．１１ａ標準およびＥＴＳＩ ＢＲＡＮ ＨＩＰｅｒｌａｎ２等といった発展中の他の技術のような、複数のアクセス技術を利用できる。大半のＷＬＡＮはＩＰパケットを送信するために用いられ、アクセスの違いは上の階層のＩＰプロトコルに対して透過的であるかである。
【００２０】
在席情報モニタ装置は、在席情報及びその状態変化を検出し、この在席情報を在席情報サービスシステムに報告するために用いられる。前記在席情報には、オンライン及びオフライン状態、ＷＬＡＮと交信するネットワークへの接続／切断情報、状態変更、端末がアクセスされた位置および時間、端末がログアウトした位置および時間、およびアクセス方法情報、または上記の任意の情報の組合せが含まれる。この在席情報モニタ装置は、在席情報収集モジュールと在席情報送信モジュールとを備えている。在席情報収集モジュールの入力は、在席情報を得るために、ＷＬＡＮのアクセス制御ユニットに接続しており、在席情報収集モジュールの出力は在席情報送信モジュールの入力に接続されており、在席情報送信モジュールは、在席情報収集モジュールからの在席情報を、例えば在席情報サービスシステム等の外部装置に送信する。
【００２１】
本発明を実装するための技術的な方法を、特定の実施形態に関して詳細に説明する。前記在席情報モニタ装置は、独立したエンティティとして存在してもよく、複数の異なるエンティティに分散されていてもよい。実用的なＷＬＡＮネットワークにおいては、ＷＬＡＮは、３ＧＰＰパケット交換ドメイン、またはインターネットに接続している。ＷＬＡＮ加入者の在席情報のやりとりを実装するためのシステムは、ＷＬＡＮアクセス装置および在席情報モニタ装置を含み、認証、許可および課金のために用いられるＡＡＡ（Authentication Authorization Accounting）サーバを更に含む。
【実施例１】
【００２２】
図３を参照すると、図３は、ＡＡＡサーバにおいて加入者の在席情報をモニタして送信するための実施例１の論理構造の概略図である。在席情報モニタ装置をＡＡＡサーバ内に設定して、ＡＡＡサーバが接続情報をモニタし、接続情報を外部の在席情報サービスシステムに送信する機能を有するようにすることが可能であり、ＡＡＡサーバは在席情報サービスシステムに接続される。
【実施例２】
【００２３】
図４を参照すると、図４は、加入者の在席情報をモニタして送信するための実施例２の論理構造の概略図である。在席情報モニタ装置は、ＡＡＡサーバと在席情報サービスシステムとの間に位置する独立したエンティティであり、ＡＡＡサーバがＷＬＡＮアクセス装置へ接続されるか、或いは、在席情報モニタ装置がＷＬＡＮアクセス装置に直に接続される。
【実施例３】
【００２４】
図５を参照すると、図５は、加入者の在席情報をモニタして送信するための実施例３の論理構造の概略図である。在席情報モニタ装置は、ＷＬＡＮアクセス装置内に設定され、在席情報サービスシステムに接続される。
【００２５】
前記実施例１、実施例２および実施例３は全て、ＷＬＡＮ側に在席情報モニタ装置を加えることによって、本発明の目的を実施するものである。本発明は、端末側に在席情報モニタ装置を加えることによっても、本発明の目的を実施することができる。
【実施例４】
【００２６】
図６を参照すると、図６は、ＷＬＡＮ加入者の在席情報のやりとりを実装するために、在席情報モニタ機能を有する端末が用いられる際の、論理構造の概略図である。ＷＬＡＮは、ＷＬＡＮアクセス装置と共に、ＡＡＡサーバをも備えている。ＷＬＡＮアクセス装置はＡＡＡサーバに接続され、ＡＡＡサーバは在席情報サービスシステムに接続される。在席情報モニタ機能を有する端末は、ＷＬＡＮアクセス装置を介してＷＬＡＮにアクセスする。
【００２７】
図７を参照すると、端末が在席情報をモニタする能力を有するように、在席情報モニタ装置はＷＬＡＮ端末内に設定される。在席情報モニタ装置において、在席情報収集モジュールの出力は、在席情報送信モジュールの入力に接続され、前記在席情報送信モジュールの出力は、前記ＷＬＡＮアクセス装置に接続される。
【００２８】
端末が、オフライン／オンライン状態およびサービス許可等といったそれ自体の在席情報を収集した後、その在席情報は、端末がオンラインの際に在席情報サービスシステムに登録される。端末が能動的にログアウトするか、またはネットワークがオフラインを要求する場合には、在席情報サービスシステムは、端末がログアウトする直前に、状態記録を更新するよう通知される。端末が電源オフ等により強制的にログアウトした場合には、この状況下では、在席情報を報告する前に在席情報サービスシステム内の記録を遅滞なく更新することができない。サーバは、この状況を回避するために、端末が接続されているか否かを判定する必要がある。即ち、端末が接続できないとわかると、サーバは、端末がオフラインであるものと判断し、その結果、全ての端末情報が無視される。
【００２９】
在席情報における位置情報に関しては、この端末は、位置サービスネットワーク装置と交信することによって、ローカルアクセスポイントアドレスをリアルタイムに検出して取得し、ＡＰアドレスを位置情報に変換することができる。或いは、端末は、ＧＰＳ（Global Position System）を介してそれ自体の位置情報を収集し、位置情報をリアルタイムに更新し、その位置情報はサーバに入力されるかまたは端末に保存され、位置情報要求が到達するまで応答しない。
【００３０】
上述の各実施例において、在席情報モニタ装置の在席情報収集モジュールおよび在席情報送信モジュールは、さまざまなエンティティに柔軟に設定可能である。図８を参照すると、図８は、在席情報モニタ装置のモジュールが複数の異なるエンティティにそれぞれ設定される場合の概略図である。オンライン／オフライン収集モジュールは端末内に設定され、ＷＬＡＮアクセス装置のアクセスポイント装置に接続される。アクセス情報収集モジュールはアクセスポイント装置内に設定され、アクセス制御装置に接続される。接続情報収集モジュールはアクセスポイント制御装置内に設定され、ＡＡＡサーバに接続される。在席情報送信モジュールはＡＡＡサーバ内に設定され、在席情報サービスシステムに接続される。オンライン／オフライン情報収集モジュールは、オンライン位置、および／またはオンライン時間、および／またはオンライン状態、および／またはオフラインを示す情報を含む情報を収集し、収集された情報は、アクセスポイント装置およびアクセスポイント制御装置を介してＡＡＡサーバ内の在席情報送信モジュールに順次送信される。アクセス情報収集モジュールは、アクセス位置および／またはアクセス時間を含む情報を収集し、この収集された情報は、アクセスポイント制御装置を介してＡＡＡサーバ内の在席情報送信モジュールに送信される。接続情報収集モジュールは、ＷＬＡＮと交信するネットワークへの接続／切断の情報を収集し、収集された情報はＡＡＡサーバ内の在席情報送信モジュールに送られる。在席情報送信モジュールは、この情報を在席情報サービスシステムに送信する。本実施形態においては、これらのモジュールは比較的独立しており、個々の機能をそれぞれ遂行し、ＷＬＡＮ内の幾つかのエンティティ（例えばアクセスポイント装置、アクセスポイント制御装置、ＡＡＡサーバ等）の機能を拡張する。
【００３１】
上述の各実施形態において、在席情報のやりとりを実装するための原理は、基本的に同じである。すなわち、端末が認証され、ネットワークにログインまたはネットワークからログアウトする際、または、或るサービスの接続許可から端末が許可を得るかまたは遮断された際、または、ＷＬＡＮにアクセスしている端末に関する情報が変更された際、すなわち在席情報（例えばオンライン状態およびオフライン状態、ログイン位置およびログイン時間、並びにログアウト位置およびログアウト時間）が変更された際に、在席情報モニタ装置はこの在席情報を検出して、直接モニタ機能を実装し、検出した在席情報を在席情報サービスシステムに送信する。
【００３２】
次に、フローチャートを参照して詳細に説明する。
図９に示されるように、図９は、実施例１に基づくモニタリングで在席情報をモニタして送信するためのフローチャートである。ステップは以下の通りである。
【００３３】
第１のステップでは、ＷＬＡＮに接続している端末の状態が変更された際（例えば、端末がＷＬＡＮにログインした際、端末がＷＬＡＮからログアウトした際、端末と３ＧＰＰパケット交換ドメインとの間の接続が許可または許可が取消された際、端末がインターネット接続許可を得たかまたはこの接続が取消された際）に、上述の在席情報の変更が、ＷＬＡＮアクセス装置を介してＷＬＡＮ内のＡＡＡサーバに送信される。
【００３４】
第２のステップでは、ＡＡＡサーバ内の在席情報モニタ装置は、第１のステップにおける変更を検出し、在席情報サービスシステムに現在の在席情報を知らせることを開始する。
【００３５】
第３のステップでは、ＡＡＡサーバが、在席情報の変更の通知を在席情報サービスシステムに送信する。
【００３６】
第４のステップでは、在席情報サービスシステムが在席情報を受信し、関連データを更新し、ＡＡＡサーバに、在席情報が在席情報サービスシステムにおいてすでに更新されたことを示す確認メッセージを返す。
【００３７】
在席情報サービスシステムにおいて在席情報が更新された後、在席情報をウォッチャーに提供することができ、このことにより、ＷＬＡＮ在席情報のやりとりが行われる。在席情報サービスシステムおよび端末は、同じネットワークに属していてもよく、またはそれぞれ異なるネットワークに属していてもよい。
【００３８】
図１０を参照すると、図１０は、実施例１の論理構造に基づいて在席情報をモニタして送信するための別のフローチャートであり、ウォッチャーが在席情報サービスシステムを介して在席情報を収集するステップを示す。具体的なステップは以下の通りである。
【００３９】
第１のステップでは、在席情報を得る必要が生じた際に、ウォッチャーは、在席情報サービスシステムに問合わせ要求を送信する。
【００４０】
第２のステップでは、在席情報サービスシステムは、この要求をＡＡＡサーバに送信し、ＡＡＡサーバは、その内部の在席情報モニタ装置による在席情報の取得を開始する。
【００４１】
第３のステップでは、在席情報の収集が実行される。
【００４２】
第４のステップでは、ＡＡＡサーバが、在席情報サービスシステムに在席情報の通知を送信する。
【００４３】
第５のステップでは、在席情報サービスシステムが在席情報を受信し、ＡＡＡサーバに確認メッセージを返す。
【００４４】
図１１を参照すると、図１１は、在席情報モニタ機能を有する端末が在席情報のやりとりを行う際のフローチャートである。ステップは以下の通りである。
【００４５】
第１のステップでは、端末はＷＬＡＮにアクセスし、例えば、端末がＷＬＡＮにログインした際、端末がＷＬＡＮからログアウトした際、端末と３ＧＰＰパケット交換ドメインとの接続が許可または許可が取消された際、または、端末のインターネットへの接続が許可または取消された際に、在席情報が変更される。
【００４６】
第２のステップでは、端末内の在席情報モニタ装置によって在席情報の変更が収集された後、在席情報モニタ装置は、在席情報サービスシステムにこの在席情報を更新するよう通知するための処理手順を開始する。
【００４７】
第３のステップでは、在席情報モニタ装置を有するＷＬＡＮ端末が、在席情報または在席情報の変更の通知を、ＷＬＡＮアクセス装置およびＡＡＡサーバを介して在席情報サービスシステムに送る。
【００４８】
第４のステップでは、在席情報を受信して、該当データを更新した後に、在席情報サービスシステムは、在席情報サービスシステムにおいてその在席情報がすでに更新されたことを示すために、ＡＡＡサーバおよびＷＬＡＮアクセス装置を介して応答メッセージを返す。
【００４９】
在席情報サービスシステム内の在席情報が更新された後、この在席情報をウォッチャーに提供することができ、このことにより、ＷＬＡＮ加入者の在席情報のやりとりが行われる。在席情報サービスシステムおよび端末は、同じネットワークに属していてもよく、またはそれぞれ異なるネットワークに属していてもよい。
【００５０】
更に、在席情報サービスシステムは、情報の有効性を保証するために、接続が有効か否かを一定間隔で検出できる。加えて、在席情報が必要な際に、情報のリアルタイム性および信頼性を保証するために、在席情報サービスシステムは、確立された接続を介して端末に問合わせメッセージを送信でき、端末はこのメッセージの確認情報を返す。
【００５１】
本発明は、上述の特定の実施形態の導入に限定されない。本発明は、更に更新され得るものであり、或いは、本発明で開示された、任意の関連する特許請求の範囲、要約書、及び添付の図面を含む特徴は、新たに構成され得るものであり、本発明において開示された任意の方法またはプロセスは、更新又は新たに構成され得るものである。
【図面の簡単な説明】
【００５２】
【図１】既存のＷＬＡＮの接続を示す概略図である。
【図２】ＷＬＡＮ加入者の在席情報のやりとりを実施するための論理構造を示す概略図である。
【図３】ＡＡＡ（Authentication Authorization Accounting）サーバにおいてＷＬＡＮ加入者の在席情報をモニタして送信するための論理構造を示す、実施例１の論理構造の概略図である。
【図４】独立した在席情報モニタ装置を採用することにより、ＷＬＡＮ加入者の在席情報をモニタして送信するための論理構造を示す、実施例２の論理構造の概略図である。
【図５】ＷＬＡＮアクセス装置においてＷＬＡＮ加入者の在席情報をモニタして送信するための論理構造を示す、実施例３の論理構造の概略図である。
【図６】在席情報のやりとりを実施するために在席情報モニタ機能を有する端末を用いる場合の論理構造の概略図である。
【図７】ＷＬＡＮ端末内に在席情報モニタ装置を設定する場合の概略図である。
【図８】在席情報モニタ装置のモジュールが複数の異なるエンティティ内に設定される場合の概略図である。
【図９】実施例１に基づきＷＬＡＮ加入者の在席情報のやりとりを実施するためのフローチャートである。
【図１０】ウォッチャーが命令を開始する場合の、実施例１に基づきＷＬＡＮ加入者の在席情報のやりとりを実施するためのフローチャートである。
【図１１】在席情報モニタ機能を有する端末が加入者の在席情報のやりとりを実施する際のフローチャートである。
【図１】
2006505977.tif 000003
【図２】
2006505977.tif 000004
【図３】
2006505977.tif 000005
【図４】
2006505977.tif 000006
【図５】
2006505977.tif 000007
【図６】
2006505977.tif 000008
【図７】
2006505977.tif 000009
【図８】
2006505977.tif 000010
【図９】
2006505977.tif 000011
【図１０】
2006505977.tif 000012
【図１１】
2006505977.tif 000013
【国際調査報告】
2006505977.tif 000014
2006505977.tif 000015
2006505977.tif 000016
2006505977.tif 000017